(57)【要約】【目的】従来の座椅子に、多数の用途に合わせて座椅子の形状を変化させることを可能にする機能を付加することにより、スペースの節約となる座椅子を提供する。【構成】本発明は上述の目的を達成するため、床面上に載置される基台部１０と、垂直中心軸回りに回動自在となるように前記基台部１０の上方に取り付けられた座部２０と、傾斜角度が可変となるように前記基台部に蝶着されて傾斜角度調整手段６を備える背もたれ部３と、前記座部２０に対して水平軸回りに肘開き角度が可変となるように取り付けられた前記座部２０の側面側に肘開き角度調整手段３３を備える肘掛部３０と、を備えることにより形状を自在に変化させることのできる座椅子を提供する。【選択図】      図１
2004337196.tif 000002
【特許請求の範囲】
【請求項１】
床面上に載置される基台部と、垂直中心軸回りに回動自在となるように前記基台部の上方に取り付けられた座部と、傾斜角度が可変となるように前記基台部に蝶着された傾斜角度調整手段を備える背もたれ部と、前記座部に対して水平軸回りに肘開き角度が可変となるように前記座部の側面側に取り付けられた肘開き角度調整手段を備える少なくとも１個の肘掛部と、を備えることを特徴とする座椅子。
【請求項２】
請求項１記載の座椅子において、前記肘掛部が座部に対して脱着自在に取り付けられていることを特徴とする座椅子。
【発明の詳細な説明】
【０００１】
【発明の属する技術分野】本発明は用途に応じて種々の形状に変化させることのできる多機能性を備えた座椅子に関する。
【０００２】
【従来の技術】
公知の座椅子として、下記特許文献１の図面の図３に示されるように、背もたれ部や座部の角度が自由に調節可能なものがある。
【０００３】
又、下記特許文献２には、介助風呂用回転椅子に関するものであるが、座椅子の底部にベアリング等を介した回転機構を設けて、座椅子の向きを自由に変化させることのできるものが開示されている。
【０００４】
又、両肘掛付の座椅子や回転式の座椅子、さらに背もたれ部の角度調整が可能な座椅子も一般に普及しており、周知である。
【０００５】
【特許文献１】特開２００２−３４７０２号公報
【特許文献２】実登３０８３１７３号公報
【発明が解決しようとする課題】
上記従来の座椅子は、一般に座部と背もたれ部及び肘掛部の骨組みが一体的に連結されている構造である。回転機能を有している座椅子の場合は、座部と背もたれ部及び肘掛部が一体となって床面上に載置された基台部（固定）に対して垂直中心軸回りに回転する構造であった。そのため、座ったまま足で地面を蹴って座椅子を回転させると、当然のことながら下半身及び上半身が共に回転し、身体を捻らずに向きを容易に変えることができた。
【０００６】
然しながら、座部と背もたれ部及び肘掛部が一体となって垂直中心軸回りに座椅子全体が回転する上記従来の座椅子は、姿勢の融通性がなく、うっとうしいと感じる時がある。特に両側に肘掛部を有する場合、姿勢が一義的に決められてしまい、胡坐をかいたり、脚を横に広げたりすることができない。
【０００７】
又、上記座椅子の背もたれ部に傾斜角度調整手段を有している場合であっても、背もたれ部や座部の傾斜角を変化することができても、座椅子全体の形状を変えることはできない。そのため、テレビを見るときには肘掛付き座椅子を、リラックスするときには足台つき座椅子を、というように、用途に応じた座椅子や備品をいくつも用意しなければならなかった。
【０００８】
然しながら、用途に応じて座椅子を何台も備えるのは経済的でなく、収納場所にも苦慮する。この点、一台の座椅子で前述のような、より一層リラックスできる使い勝手の良い何通りもの使用方法ができれば、頗る便利であることは疑いない。
【０００９】
そこで、本発明は上記事情に鑑み、多用途への形状変化を可能にして、機能性を高めた座椅子を提供するものである。
【００１０】
【課題を解決するための手段】
本発明は上述の目的を達成するため、
（１）床面上に載置される基台部と、垂直中心軸回りに回動自在となるように前記基台部の上方に取り付けられた座部と、傾斜角度が可変となるように前記基台部に蝶着された傾斜角度調整手段を備える背もたれ部と、前記座部に対して水平軸回りに肘開き角度が可変となるように前記座部の側面側に取り付けられた肘開き角度調整手段を備える少なくとも１個の肘掛部と、を備えることを特徴とする座椅子を提供するものである。
（２）又、上記座椅子において、前記肘掛部が座部に対して脱着自在に取り付けられていることを特徴とする座椅子を提供する。
【００１１】
【発明の実施の形態】
本発明に係る座椅子の実施の形態を図面に基づき説明する。図１は本発明の座椅子５０の透視図である。図２は本発明の座椅子５０の側面図である。図３は本発明の座椅子５０の底面図である。図４は本発明の座椅子５０が有する回転機構の断面図である。図５は本発明の座椅子５０の第一使用形態を表す。図６は本発明の座椅子５０の第二使用形態を表す。図７は本発明の座椅子５０の第三使用形態を表す。
【００１２】
図１乃至図２において、本発明の座椅子５０は、床面上に載置される基台部１０と、垂直中心軸回りに回動自在となるように前記基台部１０の上方に取り付けられた座部２０と、傾斜角度が可変となるように前記基台部１０に蝶着された傾斜角度調整手段６を備える背もたれ部３と、前記座部２０の側面側に前記座部２０に対して水平軸回りに肘開き角度が可変となるように蝶着された肘開き角度調整手段３３を備えた１個の肘掛部３０と、で構成されている。
【００１３】
以下に上記各構成部について詳述する。まず、背もたれ部３であるが、図２から明らかなように、背もたれシート４と、傾斜角度調整手段６を備えた背もたれフレーム５と、から構成されている。傾斜角度調整手段６は背もたれシート４の両側に其々一つずつ設けられており、水平軸回りに背もたれ部３の傾斜角度βが可変となるようにしている。背もたれフレーム５はそれら傾斜角度調整手段６を連結するように、背もたれシート４の内部あるいは外部を通ってコの字型に変形されている。前記傾斜角度調整手段６は、例えば既存技術のラチェット機構による調整手段が採用され得るが、角度を調節できる機能を有していれば、他の機構でもよい。
【００１４】
次に基台部１０の各部分を詳細に説明する。図３から明らかなように、床面と接する基台フレーム１１は上記傾斜角度調整手段６と連結しており、こうして基台フレーム１１と背もたれフレーム５との傾斜角度βを調節することができる。回転機構１２は該基台フレーム１１の上方にあって、鋲着されている。
【００１５】
図４から明らかなように、回転機構１２は上下左右方向に厚みを持つ凹形輪形であって、上部が開口している溝を有している。該溝の内部数箇所には上方向に向かって円筒形の突起部１３があり、その内部上方には球体１４を備えている。さらに回転機構１２凹部の溝の外側縁には係止部１５が設けられている。
【００１６】
一方、座面シート２１の下面に鋲着されている回転機構２２凸部の先端部外縁は突起しており、前記回転機構１２の溝内に嵌入された際、係止部１５に係止される。回転機構２２部凸の先端部は前記球体１４に沿うような溝２３を有している。座部が垂直軸回りに回動する時には該球体１４上を前記溝２３が摺動するため、該溝２３にはグリス等の摩擦軽減剤を塗布しておくのが望ましい。上述の回転機構は従来のものがそのまま使用することができ、或はベアリングなどを介した回転機構としてもよい。要は、背もたれ部がと基台部に対して一体で回動不可になっており、前記座部が垂直軸方向に回動可能にしてあればよいのである。
【００１７】
尚、座面シート２１の形状は人が着座するのに適していれば、正方形や円形など、どんな形状でもよい。
【００１８】
次に肘掛部３０において、肘掛フレーム３２に蝶着されている肘開き角度調整手段３３は前記背もたれ部３の傾斜角度調整手段６と同様のラチェット機構であり、肘掛３１が水平軸方向に肘開き角度αが可変となるように設けられている。肘開き角度調整手段３３に対し座面シート２１側の肘掛フレーム３２は該座面シート２１内に挿入され、前記回転機構２２と鋲着されているため、肘掛部３０は座部２０と共に回動することとなる。他方側の肘掛フレーム３２の端部上方には肘掛肘当て板３４が配置されており、肘を掛けた時に肘が安定するようにしている。尚、本実施例は片側にのみ肘掛を有する構造であるが、肘掛部３０を脱着自在に設けるならば、多数の形状に変化するという本発明の特色を失わず、例えば肘掛フレーム３２に差し込み式として両側に肘掛を有する構造にもすることができる。
【００１９】
次に本発明に係る座椅子の使用の形態について説明する。図５は本発明の通常の使用形態を示している。左又は右の肘掛３１の内側側面が座面シート２１と垂直になるまで肘掛３１をシート２１側に起こす。これは座部２０が回転する時に、肘掛３１が背もたれ部３に当たり、回転を妨げないようにするためである。次に、背もたれ部３を座部２０方向に倒し、傾斜角度調整手段６であるラチェットを解除し、座部２０と反対方向に倒すことにより、肘掛３１が背もたれ部３に当たり座部２０の回転を妨げないようにする。その後、肘掛３１が背もたれシート４と直交方向になるまで座部２０を回転させ、背もたれ部３を座部２０方向に適当な角度βまで起こす。以上の方法により、背もたれシート４に背中を当て、座面シート２１に着座し、肘掛３１に肘を乗せることができる。
【００２０】
本実施例では肘掛を一方側にのみ有しているが、この形状によれば姿勢の融通性がある。というのも、両側に肘掛を有する場合、姿勢が一義的に決められてしまい、崩せない状態になっている。しかし本発明の座椅子によれば、ボックスにすっぽりと嵌ったかのように長時間同じ姿勢を続け体が疲れた場合でも、胡坐をかいたり脚を横に広げたりすることが自由にできるのである。また、図５中の２点鎖線で示すように、人間が肘掛に斜めに凭れかかったりすることができ、肘掛の無い側へ斜めに立ち上がったりすることも楽にできる。勿論、両側に肘掛を有する場合であっても、上述したように、いずれか一方を脱着可能にすることにより、多数の形状に変化する機能を失わずに、従来と同様の両側に肘掛を有する座椅子を提供することもできる。
【００２１】
次に他の使用方法として、リラックスする際に使用する、図６に示す第二使用形態である、足置き台付座椅子について説明する。前述の使用方法の第１の形態からの形状変化を説明するが、まず、背もたれ部３を座部２０方向に倒し、傾斜角度調整手段６であるラチェットを解除し、背もたれ部３を座部２０と反対方向に倒す。その後、座部２０を９０度回転させる。次に肘掛３１を座部２０方向に倒し、肘開き角度調整機構３３であるラチェット機構を解除し、肘掛３１を座部２０と反対方向に倒す。そして背もたれ部３を座部２０方向に適当な角度βまで起こす。このようにして素早く肘掛付き座椅子から足置き台付き座椅子に形状を変化させることができ、身体を楽な状態に保つことができる。
【００２２】
使用方法を説明すると、座面シート２１に座り、肘掛３１に足を伸ばし、背もたれ部３に背中を付けるように横臥し、肘掛３１を足置き台として使用する。
【００２３】
さらに、該形状の別の使用方法として、座面シート２１に着座し、肘掛３１（該形状では足置き台として描写）に頭を置いて横臥し、背もたれ部３側に足を投げ出すことによって、足を高く上方に上げることができ、足の疲れをとることができる。
【００２４】
また、該形状で、背もたれ部３を水平にし、あたかもベッドのごとく使用することも可能である。
【００２５】
次に、腰や背中を伸ばし、腰部に適度な刺激を与えることのできる形状として、図７に示す第三使用形態である腰伸ばし座椅子について説明する。第２の使用形態で述べた足置き台付座椅子から、腰伸ばし座椅子へ変化させる方法について説明すると、まず、左又は右の肘掛３１の内側側面が座面シート２１と垂直になるまで肘掛３１を座面シート２１側に起こす。次に、背もたれ部３を座部２０方向に倒し、傾斜角度調整手段６であるラチェットを解除し、背もたれ部３を座部２０と反対方向に倒す。肘掛３１が背もたれシート４と座面シート２１の間で挟まれるように、座部２０を１８０度回転させる。その後、背もたれ部３を座部２０方向に適当な角度βまで起こし、肘掛３１が腰部に当たるようにして座面シート２１に着座し、背もたれシート４に背中を押し付けるように横臥するなら、背中を反ることができ、体重によって肘掛３１が腰部を程よく刺激する。そのため指圧効果の如く腰痛の改善に資するのである。
【００２６】
【発明の効果】
多数の形状に変化可能なので、肘掛付き座椅子や足置き台付き座椅子、さらには腰伸ばし座椅子など、一台で多目的に使用することができる。さらに、簡単な操作で形状の変更ができる。
【図面の簡単な説明】
【図１】座椅子の透視図
【図２】座椅子の側面図
【図３】座椅子の底面図
【図４】回転機構の断面図
【図５】本発明の第一使用形態である肘掛付き座椅子の斜視図
【図６】本発明の第二使用形態である足置き台付き座椅子の斜視図
【図７】本発明の第三使用形態である腰伸ばし座椅子の斜視図
【符号の説明】
３  背もたれ部
４  背もたれシート
５  背もたれフレーム
６  傾斜角度調整手段
１０  基台部
１１  基台フレーム
１２  回転機構
１３  突起部
１４  球体
１５  係止部
２０  座部
２１  座面シート
２２  回転機構
２３  溝
３０  肘掛部
３１  肘掛
３２  肘掛フレーム
３３  肘開き角度調整手段
３４  肘当て板
【図１】
2004337196.tif 000003
【図２】
2004337196.tif 000004
【図３】
2004337196.tif 000005
【図４】
2004337196.tif 000006
【図５】
2004337196.tif 000007
【図６】
2004337196.tif 000008
【図７】
2004337196.tif 000009